(57)【要約】【課題】光量のロスや組立工数の増加及びコストアップを招くことなく、表示板の照度分布を均一化することができる表示装置を提供すること。【解決手段】ＬＥＤ（光源）２と、該ＬＥＤ２からの光の出射方向に配された透光性を有する表示板５とを備えた表示装置１において、前記表示板５の光源側の面と反光源側の面にシボ加工を施し、反光源側の面に施されるシボ加工の目の粗さを光源側の面に施されるシボ加工の目の粗さよりも細かくする。本発明によれば、ＬＥＤ２からの指向性の強い光は、表示板５の光源側の面に施された目の粗いシボ５ａによって拡散されて粒状感のあるムラの効いた光となるが、この光は、表示板５の反光源側の面に施された目の細かいシボ５ｂによって拡散されることによって、その粒状感が解消し、表示板の照度分布が均一化される。【選択図】図３
2014191292.tif 000002
【特許請求の範囲】
【請求項１】
光源と、該光源からの光の出射方向に配された透光性を有する表示板とを備えた表示装置において、
前記表示板の光源側の面と反光源側の面にシボ加工を施し、反光源側の面に施されるシボ加工の目の粗さを光源側の面に施されるシボ加工の目の粗さよりも細かくしたことを特徴とする表示装置。
【請求項２】
前記表示装置は、複数のセグメントから構成され、前記光源が各セグメントに収納可能であり、前記光源からの光を通すスリット開口を備えたセグメントフレームを有し、前記表示板は前記セグメントフレームの前記スリット開口に対向して配置されることを特徴とする請求項１記載の表示装置。
【請求項３】
前記表示装置は、７つの前記セグメントにより数字を表示することを特徴とする請求項２記載の表示装置。
【発明の詳細な説明】
【技術分野】
【０００１】
本発明は、光源からの光の出射方向に配された透光性を有する表示板を備えた表示装置に関するものである。
【背景技術】
【０００２】
例えば、電子写真方式によって用紙に画像を形成する複写機等の画像形成装置には、コピー枚数やエラーコード等を数字で表示する表示装置が設置されている。斯かる表示装置は、図４の断面図に示すように、光源１０２と、該光源１０２からの光の出射方向に配された透光性を有する表示板１０５を備えている。
【０００３】
ところで、近年、表示装置の光源として、発光効率が高くて長寿命のＬＥＤ（発光ダイオード）が使用されているが、ＬＥＤの配光分布は指向性が強いため、表示板の真中は光量が高いが、真中から遠のくに従って光量が低くなる傾向がある。従って、そのままの状態で表示装置を使用すると、表示板に輝度ムラが発生するという問題がある。
【０００４】
そこで、従来、図４に示すように光源１０２と表示板１０５との間に拡散シート１０８を配設し、光源１０２から出射する指向性の高い光を拡散シート１０８によって拡散させ、輝度ムラの発生を抑制する構成が採用されている。
【０００５】
又、特許文献１には、透光性を有する表示板と、該表示板の側方に設けられた光源と、該光源が発する光を表示板の背面に反射させるべく表示板と光源との間に設けられた反射板と、該反射板で反射した光を表示板の背面に拡散させるべく表示板と反射板との間に設けられた第１の拡散シートと、光源が発する光を反射板へ拡散させるべく反射板と光源との間に設けられた第２の拡散シートを具備する表示装置が提案されている。これによれば、光源から照射されたスポット光は、第２の拡散シートの拡散作用によって拡散された後に反射板によって反射され、反射拡散光として第１の拡散シートを透過し、該第１の拡散シートによって更に拡散されて表示板の背面に照射されるため、表示板の表示部の照度分布が均一化する。
【先行技術文献】
【特許文献】
【０００６】
【特許文献１】特開２００３−３３０３９３号公報
【発明の概要】
【発明が解決しようとする課題】
【０００７】
しかしながら、特許文献１において提案された表示装置においては、反射板を取り付ける構成が採用されているために基板を表示板と平行にレイアウトすることができないばかりでなく、光を反射板で反射させるために光源からの光量がロスしてしまい、エネルギー効率が悪いという問題がある。
【０００８】
又、特許文献１及び図４に示す従来の表示装置にあっては、拡散シートを設ける必要があるために部品点数が増え、組立工数やコストアップを招くという問題があった。
【０００９】
本発明は上記問題に鑑みてなされたもので、その目的とする処は、光量のロスや組立工数の増加及びコストアップを招くことなく、表示板の照度分布を均一化することができる表示装置を提供することにある。
【課題を解決するための手段】
【００１０】
上記目的を達成するため、請求項１記載の発明は、光源と、該光源からの光の出射方向に配された透光性を有する表示板とを備えた表示装置において、前記表示板の光源側の面と反光源側の面にシボ加工を施し、反光源側の面に施されるシボ加工の目の粗さを光源側の面に施されるシボ加工の目の粗さよりも細かくしたことを特徴とする。
【００１１】
請求項２記載の発明は、請求項１記載の発明において、前記表示装置は、複数のセグメントから構成され、前記光源が各セグメントに収納可能であり、前記光源からの光を通すスリット開口を備えたセグメントフレームを有し、前記表示板は前記セグメントフレームの前記スリット開口に対向して配置されることを特徴とする。
【００１２】
請求項３記載の発明は、請求項３記載の発明において、前記表示装置は、７つの前記セグメントにより数字を表示することを特徴とする。
【発明の効果】
【００１３】
本発明によれば、光源からの指向性の強い光は、表示板の光源側の面に施された目の粗いシボによって拡散されるが、シボの目が粗いために粒状感のあるムラの効いた表示になる。そして、目の粗いシボによって拡散した粒状感のある光が表示板の反光源側の面に施された目の細かいシボによって拡散されることによって、その粒状感が解消し、表示板の照度分布が均一化される。このような効果は表示板に単にシボ加工を施すことによって得られ、反射板や反射シートが不要となるため、部品点数と組立工数が削減されてコストダウンが図られるとともに、光量のロスが抑えられて高いエネルギー効率が得られる。
【図面の簡単な説明】
【００１４】
【図１】本発明に係る表示装置を備えた画像形成装置の上面部分の斜視図である。
【図２】本発明に係る表示装置の分解斜視図である。
【図３】本発明に係る表示装置要部の断面図である。
【図４】従来の表示装置要部の断面図である。
【発明を実施するための形態】
【００１５】
以下に本発明の実施の形態を添付図面に基づいて説明する。
【００１６】
図１は本発明に係る表示装置を備えた画像形成装置の上面部分の斜視図、図２は本発明に係る表示装置の分解斜視図、図３は同表示装置要部の断面図である。
【００１７】
本実施の形態においては、画像形成装置の位置形態としての複写機１０の上端に配置された画像読取部１１の手前側に配置された操作部１２に本発明に係る表示装置１が設けられている。ここで、複写機１０の画像読取部１１には、透明な矩形平板状のプラテンガラス１３が設けられており、画像読取部１１は、プラテンガラス１３上に載置された不図示の原稿の画像を光学的に読み取るものである。
【００１８】
上記画像読取部１１の手前側には、横方向に細長い前記操作部１２が全幅に亘って配置されており、この操作部１２の幅方向中央には、前述のように本発明に係る表示装置１が配設されている。ここで、表示装置１は、コピー枚数やエラーコードを２桁の数字で表示するものであって、図２に示すように、光源である複数（本実施の形態では、１４個）のＬＥＤ２が実装された矩形平板状の基板３と、その上方に配された矩形ブロック状の表示部４と、該表示部４を上方から覆う矩形平板状の表示板５によって構成されている。
【００１９】
上記表示部４には、「８」の数字を形成する透光性の各７つのセグメント６が左右に２組ずつ設けられており、各７つのセグメント６に対応してこれらに下方に前記ＬＥＤ２がそれぞれ１つずつ、計１４個配置されている。そして、これら１４個のＬＥＤ２の点灯／消灯を制御することによって、各組の７つのセグメント６は「０」〜「９」の数字を表示することができる。各セグメント６は、表示板５に対向する細長いスリット形状の開口６ａをそれぞれ備えている。ＬＥＤ２は、各開口６ａの中央付近の下方に配置される。開口６ａの下方には、各ＬＥＤ２の周囲を囲むように不図示の仕切り壁が形成されており、各ＬＥＤ２の光は、開口６ａから外部に照射される。
【００２０】
又、前記表示板５は、透光性を有する透明又は半透明の樹脂によって構成されており、これは矩形枠状のフレーム７に一体に形成されている。尚、フレーム７の四周には取付フランジ７ａが一体に形成されている。
【００２１】
ここで、本発明に係る表示装置１の特徴的な構成を図３に模式的に示す。即ち、図３には１つのＬＥＤ２と基盤３及び表示板５のみを示し、表示部４の図示は省略している。
【００２２】
本発明に係る表示装置１は、表示板５の内面（光源側の面）と表面（反光源側の面）にシボ加工を施し、表面に施されるシボ加工の目の粗さを内面に施されるシボ加工の目の粗さよりも細かくしたことを特徴としている。一例として、図２に示す表示板５の裏面のシボには、棚澤発光社  ＴＨ１４１Ａ（算術平均粗さＲａが約１．９５μｍ）、表面には、棚澤発光社  ＴＨ１２８（算術平均粗さＲａが約０．１７μｍ）が形成されている。
【００２３】
而して、本発明に係る表示装置１において、ＬＥＤ２に電流が供給されてこれが点灯すると、該ＬＥＤ２から出射する指向性の強い光は、表示板５の内面に施された目の粗いシボ５ａによって拡散されるが、シボ５ａの目が粗いために粒状感のあるムラの効いた表示になる。そして、目の粗いシボ５ａによって拡散した粒状感のある光が表示板５の表面に施された目の細かいシボ５ｂによって拡散されることによって、その粒状感が解消し、表示板５の照度分布が均一化される。
【００２４】
上記効果は表示板５に単にシボ加工を施すことによって得られ、反射板や反射シートが不要となるため、部品点数と組立工数が削減されてコストダウンが図られるとともに、光量のロスが抑えられて高いエネルギー効率が得られる。
【００２５】
尚、以上は本発明を複写機に設けられた表示装置に対して適用した形態について説明したが、本発明は、複写機以外の他の任意の機器に設けられた表示装置に対しても同様に適用可能であることは勿論である。
【符号の説明】
【００２６】
１      表示装置
２      ＬＥＤ（光源）
３      基板
４      表示部
５      表示板
５ａ    表示板の芽の粗いシボ
５ｂ    表示板の目の細かいシボ
６      セグメント
７      フレーム
７ａ    フレームのフランジ
１０    複写機（画像形成装置）
１１    画像読取部
１２    操作部
１３    プラテンガラス
【図１】
2014191292.tif 000003
【図２】
2014191292.tif 000004
【図３】
2014191292.tif 000005
【図４】
2014191292.tif 000006